(57)【要約】【課題】本発明はディスプレイスクリーン調節装置を開示した。【解決手段】固定フレーム本体を含み、ディスプレイスクリーンの縁を第一挟み溝の中に引っ掛からせ、第一ゴムブロックがディスプレイスクリーンの後側と当接し、第二ゴムブロックがディスプレイスクリーンの後側と当接し、挟みロッドを放した後に左右両側の第一ゴム層がディスプレイスクリーンをきつく挟み、第二ゴムブロックと、第一ゴムブロックと第一ゴム層との作用の下でディスプレイスクリーンへの固定を完成し、、ディスプレイスクリーンの取り付けが便利で、十分な挟む力を持ち、且つディスプレイスクリーンを傷つけなく、角度及び展示方向を便利に調節でき、調節可能な挟みロッドが様々な規格のディスプレイスクリーンに対応できる。【選択図】図１
2020181178.tif 000002
【特許請求の範囲】
【請求項１】
正面視で、固定フレーム本体を含み、前記固定フレーム本体はベースを含み、前記ベースの中には第一モータが設置され、前記第一モータの上向きの出力軸には調節軸が連結され、前記調節軸の外側には回転ベースが固定的に装着され、前記回転ベースの前側端面には調節板が固定的に装着され、前記調節板の前側端面には連結ロッドが固定的に装着され、前記連結ロッドの前端には球体が設置され、前記球体には挟み板が回転できるように取り付けられ、前記挟み板の中にはディスプレイスクリーンを挟むことができる挟み部品が設置され、前記挟み板の底部にはディスプレイスクリーンの底部を安定させる安定部品が設置され、前記挟み板の後側端面には四つの上下左右対称である固定リングが設置され、前記調節板の中には前記挟み板の角度を調節する調節部品が設置され、前記調節部品は前記調節板の中に位置する糸巻きチャンバを含み、前記糸巻きチャンバの左右壁の間には二本の糸巻き軸が回転できるように取り付けられ、上下両側の前記糸巻き軸には絹糸が固定的に巻き付き、前記絹糸が前記固定リングと固定的に連結されることを特徴とするディスプレイスクリーン調節装置。
【請求項２】
前記挟み部品は前記挟み板の中に位置する四つの第一伸縮溝を含み、前記第一伸縮溝の中にはスライドブロックがスライドできるように取り付けられ、前記スライドブロックの端面には前記挟み板から突き出る挟みロッドが設置され、前記挟みロッドの端部には把持爪が連結され、左上方の前記把持爪を例とし、前記把持爪の中には右方に開口した第一挟み溝が設置され、前記第一挟み溝の左側壁と前側壁には第一ゴム層が設置され、前記第一挟み溝の後側壁には第一弾力溝が設置され、前記第一弾力溝の中には第一ゴムブロックが弾性的に取り付けられ、前記スライドブロックと前記第一伸縮溝の内壁との間には第一ばねが設置され、前記挟み板の中には前方に開口した六つの第二伸縮溝が設置され、前記第二伸縮溝の中には伸縮ブロックがスライドできるように取り付けられ、前記伸縮ブロックの中には後方に開口した弾力チャンバが設置され、前記第二伸縮溝の後側壁にはストレートピンが設置され、前記ストレートピンと前記弾力チャンバとをスライドできるように連結され、前記ストレートピンと前記弾力チャンバの前側壁との間には第二ばねが設置され、前記第二伸縮溝の頂壁にはリミット溝が設置され、前記伸縮ブロックの頂部端面にはリミットブロックが設置され、前記リミットブロックと前記リミット溝とをスライドできるように連結され、前記伸縮ブロックの前端面には第二ゴムブロックが設置され、ディスプレイスクリーンを挟む時に両側の前記挟みロッドを引き離し、ディスプレイスクリーンの縁を前記第一挟み溝の中に引っ掛からせ、前記第一ゴムブロックがディスプレイスクリーンの後側と当接し、前記第二ゴムブロックがディスプレイスクリーンの後側と当接し、前記挟みロッドを放した後に左右両側の前記第一ゴム層がディスプレイスクリーンをきつく挟むことを特徴とする請求項１に記載のディスプレイスクリーン調節装置。
【請求項３】
前記安定部品は前記挟み板の底端に位置する安定ブロックを含み、前記安定ブロックの中には前方に開口した四つの第二弾力溝が設置され、前記第二弾力溝の中には第三ゴムブロックが弾力を持つように取り付けられ、前記安定ブロックの前側端面には左右対称であるＬ型ブロックが設置され、前記Ｌ型ブロックには第二ゴム層が設置され、ディスプレイスクリーンの底部の縁を前記第三ゴムブロックと前記第二ゴム層との間に引っ掛からせ、前記Ｌ型ブロックによりディスプレイスクリーンの位置を安定させることを特徴とする請求項１に記載のディスプレイスクリーン調節装置。
【請求項４】
前記調節部品は前記糸巻きチャンバの右側に位置する第二モータを含み、前記第二モータの左側の出力軸には回転軸が連結され、前記回転軸が前記糸巻きチャンバの中に位置し、前記回転軸には二つの第一ギヤが設置され、前記糸巻き軸には二つの第二ギヤが設置され、前記第二ギヤが前記第一ギヤと噛み合い、前記糸巻きチャンバの上下内壁の中には対称的で、且つ前記調節板の上下端面を貫通する糸溝が設置され、前記糸溝の左右壁の間にはローラが回転できるように取り付けられ、前記絹糸が前記ローラを避けて通った後に前記固定リングと固定的に連結され、角度を調節する時に前記第二モータが起動して前記回転軸と前記糸巻き軸とを回転連動させ、前記糸巻き軸が回転して前記絹糸を緩め又はきつく巻き、それにより前記挟み板の角度を変えることを特徴とする請求項１に記載のディスプレイスクリーン調節装置。
【請求項５】
前記固定ブレーム本体はまた前記ベースの中に位置し、且つ上方に開口した物貯蔵溝を含み、物を前記物貯蔵溝の中に置くことができることを特徴とする請求項１に記載のディスプレイスクリーン調節装置。
【発明の詳細な説明】
【技術分野】
【０００１】
本発明はディスプレイスクリーンのスタンド分野に関わり、具体的にはディスプレイスクリーン調節装置である。
【背景技術】
【０００２】
ディスプレイスクリーンは取り付けフレームを持ち、一般の取り付けフレームは手動でディスプレイスクリーンの鉛直方向の展示角度を調節できるが、自動的に調節できなく、その他、水平方向の角度も自由に調節できない。
【先行技術文献】
【特許文献】
【０００３】
【特許文献１】中国特許出願公開第１０７５７５７１１号明細書
【発明の概要】
【発明が解決しようとする課題】
【０００４】
本発明はディスプレイスクリーン調節装置を提供し、既存技術の中の上記欠点を解消することを目的とする。
【課題を解決するための手段】
【０００５】
本発明実施例のディスプレイスクリーン調節装置は、固定フレーム本体を含み、前記固定フレーム本体はベースを含み、前記ベースの中には第一モータが設置され、前記第一モータの上向きの出力軸には調節軸が連結され、前記調節軸の外側には回転ベースが固定的に装着され、前記回転ベースの前側端面には調節板が固定的に装着され、前記調節板の前側端面には連結ロッドが固定的に装着され、前記連結ロッドの前端には球体が設置され、前記球体には挟み板が回転できるように取り付けられ、前記挟み板の中にはディスプレイスクリーンを挟むことができる挟み部品が設置され、前記挟み板の底部にはディスプレイスクリーンの底部を安定させる安定部品が設置され、前記挟み板の後側端面には四つの上下左右対称である固定リングが設置され、前記調節板の中には前記挟み板の角度を調節する調節部品が設置され、前記調節部品は前記調節板の中に位置する糸巻きチャンバを含み、前記糸巻きチャンバの左右壁の間には二本の糸巻き軸が回転できるように取り付けられ、上下両側の前記糸巻き軸には絹糸が固定的に巻き付き、前記絹糸が前記固定リングと固定的に連結される。
【０００６】
さらなる技術プランとして、前記挟み部品は前記挟み板の中に位置する四つの第一伸縮溝を含み、前記第一伸縮溝の中にはスライドブロックがスライドできるように取り付けられ、前記スライドブロックの端面には前記挟み板から突き出る挟みロッドが設置され、前記挟みロッドの端部には把持爪が連結され、左上方の前記把持爪を例とし、前記把持爪の中には右方に開口した第一挟み溝が設置され、前記第一挟み溝の左側壁と前側壁には第一ゴム層が設置され、前記第一挟み溝の後側壁には第一弾力溝が設置され、前記第一弾力溝の中には第一ゴムブロックが弾性的に取り付けられ、前記スライドブロックと前記第一伸縮溝の内壁との間には第一ばねが設置され、前記挟み板の中には前方に開口した六つの第二伸縮溝が設置され、前記第二伸縮溝の中には伸縮ブロックがスライドできるように取り付けられ、前記伸縮ブロックの中には後方に開口した弾力チャンバが設置され、前記第二伸縮溝の後側壁にはストレートピンが設置され、前記ストレートピンと前記弾力チャンバとをスライドできるように連結され、前記ストレートピンと前記弾力チャンバの前側壁との間には第二ばねが設置され、前記第二伸縮溝の頂壁にはリミット溝が設置され、前記伸縮ブロックの頂部端面にはリミットブロックが設置され、前記リミットブロックと前記リミット溝とをスライドできるように連結され、前記伸縮ブロックの前端面には第二ゴムブロックが設置される。
【０００７】
さらなる技術プランとして、前記安定部品は前記挟み板の底端に位置する安定ブロックを含み、前記安定ブロックの中には前方に開口した四つの第二弾力溝が設置され、前記第二弾力溝の中には第三ゴムブロックが弾力を持つように取り付けられ、前記安定ブロックの前側端面には左右対称であるＬ型ブロックが設置され、前記Ｌ型ブロックには第二ゴム層が設置される。
【０００８】
さらなる技術プランとして、前記調節部品は前記糸巻きチャンバの右側に位置する第二モータを含み、前記第二モータの左側の出力軸には回転軸が連結され、前記回転軸が前記糸巻きチャンバの中に位置し、前記回転軸には二つの第一ギヤが設置され、前記糸巻き軸には二つの第二ギヤが設置され、前記第二ギヤが前記第一ギヤと噛み合い、前記糸巻きチャンバの上下内壁の中には対称的で、且つ前記調節板の上下端面を貫通する糸溝が設置され、前記糸溝の左右壁の間にはローラが回転できるように取り付けられ、前記絹糸が前記ローラを避けて通った後に前記固定リングと固定的に連結される。
【０００９】
さらなる技術プランとして、前記固定ブレーム本体はまた前記ベースの中に位置し、且つ上方に開口した物貯蔵溝を含む。
【発明の効果】
【００１０】
本発明の有益な効果は：本発明は構造が簡単で、操作が便利で、ディスプレイスクリーンの取り付けも便利で、十分な挟む力を持ち、且つディスプレイスクリーンを傷つけなく、角度及び展示方向を便利に調節でき、調節可能な挟みロッドが様々な規格のディスプレイスクリーンに対応でき、普及する価値がある。
【図面の簡単な説明】
【００１１】
下記に図１〜５をあわせて本発明について詳しく説明し、便利に説明するために、下記の方向を以下のように規定する：図２は本発明装置の正面図であり、以下に述べる上下左右前後の方向と図２の自身投影関係の上下左右前後の方向とが一致である。
【００１２】
【図１】図１は本発明の全体構造概略図
【図２】図２は図１の中のＡ―Ａ方向の断面構成概略図
【図３】図３は図１の中のＢ―Ｂ方向の断面構成概略図
【図４】図４は図１の中のＣのところの拡大概略図
【図５】図５は図２の中のＤ方向の構成概略図
【発明を実施するための形態】
【００１３】
図１〜５を参照し、本発明実施例のディスプレイスクリーン調節装置は、固定フレーム本体９０１を含み、前記固定フレーム本体９０１はベース１７を含み、前記ベース１７の中には第一モータ１６が設置され、前記第一モータ１６の上向きの出力軸には調節軸１５が連結され、前記調節軸１５の外側には回転ベース１４が固定的に装着され、前記回転ベース１４の前側端面には調節板１０が固定的に装着され、前記調節板１０の前側端面には連結ロッド１１が固定的に装着され、前記連結ロッド１１の前端には球体１３が設置され、前記球体１３には挟み板１２が回転できるように取り付けられ、前記挟み板１２の中にはディスプレイスクリーンを挟むことができる挟み部品９０２が設置され、前記挟み板１２の底部にはディスプレイスクリーンの底部を安定させる安定部品９０３が設置され、前記挟み板１２の後側端面には四つの上下左右対称である固定リング１９が設置され、前記調節板１０の中には前記挟み板１２の角度を調節する調節部品９０４が設置され、前記調節部品９０４は前記調節板１０の中に位置する糸巻きチャンバ３３を含み、前記糸巻きチャンバ３３の左右壁の間には二本の糸巻き軸３６が回転できるように取り付けられ、上下両側の前記糸巻き軸３６には絹糸４０が固定的に巻き付き、前記絹糸４０が前記固定リング１９と固定的に連結される。
【００１４】
前記挟み部品９０２は前記挟み板１２の中に位置する四つの第一伸縮溝２８を含み、前記第一伸縮溝２８の中にはスライドブロック３１がスライドできるように取り付けられ、前記スライドブロック３１の端面には前記挟み板１２から突き出る挟みロッド２７が設置され、前記挟みロッド２７の端部には把持爪２６が連結され、左上方の前記把持爪２６を例とし、前記把持爪２６の中には右方に開口した第一挟み溝５２が設置され、前記第一挟み溝５２の左側壁と前側壁には第一ゴム層５１が設置され、前記第一挟み溝５２の後側壁には第一弾力溝４８が設置され、前記第一弾力溝４８の中には第一ゴムブロック５０が弾性的に取り付けられ、前記スライドブロック３１と前記第一伸縮溝２８の内壁との間には第一ばね３０が設置され、前記挟み板１２の中には前方に開口した六つの第二伸縮溝４７が設置され、前記第二伸縮溝４７の中には伸縮ブロック４２がスライドできるように取り付けられ、前記伸縮ブロック４２の中には後方に開口した弾力チャンバ４３が設置され、前記第二伸縮溝４７の後側壁にはストレートピン４４が設置され、前記ストレートピン４４と前記弾力チャンバ４３とをスライドできるように連結され、前記ストレートピン４４と前記弾力チャンバ４３の前側壁との間には第二ばね４９が設置され、前記第二伸縮溝４７の頂壁にはリミット溝４６が設置され、前記伸縮ブロック４２の頂部端面にはリミットブロック４５が設置され、前記リミットブロック４５と前記リミット溝４６とをスライドできるように連結され、前記伸縮ブロック４２の前端面には第二ゴムブロック３２が設置され、ディスプレイスクリーンを挟む時に両側の挟みロッド２７を引き離し、ディスプレイスクリーンの縁を第一挟み溝５２の中に引っ掛からせ、第一ゴムブロック５０がディスプレイスクリーンの後側と当接し、第二ゴムブロック３２がディスプレイスクリーンの後側と当接し、挟みロッド２７を放した後に左右両側の第一ゴム層５１がディスプレイスクリーンをきつく挟む。
【００１５】
前記安定部品９０３は前記挟み板１２の底端に位置する安定ブロック２０を含み、前記安定ブロック２０の中には前方に開口した四つの第二弾力溝２１が設置され、前記第二弾力溝２１の中には第三ゴムブロック２３が弾力を持つように取り付けられ、前記安定ブロック２０の前側端面には左右対称であるＬ型ブロック２５が設置され、前記Ｌ型ブロック２５には第二ゴム層２４が設置され、ディスプレイスクリーンの底部の縁を第三ゴムブロック２３と第二ゴム層２４との間に引っ掛からせ、Ｌ型ブロック２５によりディスプレイスクリーンの位置を安定させる。
【００１６】
前記調節部品９０４は前記糸巻きチャンバ３３の右側に位置する第二モータ４１を含み、前記第二モータ４１の左側の出力軸には回転軸３９が連結され、前記回転軸３９が前記糸巻きチャンバ３３の中に位置し、前記回転軸３９には二つの第一ギヤ３４が設置され、前記糸巻き軸３６には二つの第二ギヤ３５が設置され、前記第二ギヤ３５が前記第一ギヤ３４と噛み合い、前記糸巻きチャンバ３３の上下内壁の中には対称的で、且つ前記調節板１０の上下端面を貫通する糸溝３７が設置され、前記糸溝３７の左右壁の間にはローラ３８が回転できるように取り付けられ、前記絹糸４０が前記ローラ３８を避けて通った後に前記固定リング１９と固定的に連結され、角度を調節する時に第二モータ４１が起動して回転軸３９と糸巻き軸３６とを回転連動させ、糸巻き軸３６が回転して絹糸４０を緩め又はきつく巻き、それにより挟み板１２の角度を変える。
【００１７】
前記固定ブレーム本体９０１はまた前記ベース１７の中に位置し、且つ上方に開口した物貯蔵溝１８を含み、物を物貯蔵溝１８の中に置くことができる。
【００１８】
一般的に、第二ばね４９の作用の下で伸縮ブロック４２が弾き出され、第一ゴムブロック５０の大部分が第一弾力溝４８から突き出る。
【００１９】
ディスプレイスクリーンを挟む時に両側の挟みロッド２７を引き離し、ディスプレイスクリーンの底部の縁を第三ゴムブロック２３と第二ゴムブロック２４との間に引っ掛からせ、Ｌ型ブロック２５によりディスプレイスクリーンの位置を安定させ、データ線が両側のＬ型ブロック２５の間からディスプレイスクリーンの後側と当接し、ディスプレイスクリーンの縁が第一挟み溝５２の中に引っ掛かり、第一ゴムブロック５０がディスプレイスクリーンの後側と当接し、第二ゴムブロック３２がディスプレイスクリーンの後側と当接し、挟みロッド２７を放した後に左右両側の第一ゴム層５１がディスプレイスクリーンをきつく挟み、第二ゴムブロック３２と、第一ゴムブロック５０と第一ゴム層５１との作用の下でディスプレイスクリーンの固定が完成される。
【００２０】
角度を調節する時に第二モータ４１が起動して回転軸３９と第一ギヤ３４とを回転連動させ、第一ギヤ３４が噛み合いにより上下両側の第二ギヤ３５と糸巻き軸３６とを回転連動させ、糸巻き軸３６が回転して糸溝３７を緩め又はきつく巻き、挟み板１２の角度を変え、それにより更にディスプレイスクリーンの角度を変える。
【００２１】
方向を調節する時、第一モータ１６を始動して調節軸１５と回転ベース１４とを回転連動させ、ディスプレイスクリーンの方向を調節する。
【００２２】
本発明の有益な効果は：本発明は構造が簡単で、操作が便利で、ディスプレイスクリーンの取り付けも便利で、十分な挟む力を持ち、且つディスプレイスクリーンを傷つけなく、角度及び展示方向を便利に調節でき、調節可能な挟みロッドが様々な規格のディスプレイスクリーンに対応でき、普及する価値がある。
【００２３】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020181178.tif 000003
【図２】
2020181178.tif 000004
【図３】
2020181178.tif 000005
【図４】
2020181178.tif 000006
【図５】
2020181178.tif 000007
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
正面視で、固定フレーム本体を含み、前記固定フレーム本体はベースを含み、前記ベースの中には第一モータが設置され、前記第一モータの上向きの出力軸には調節軸が連結され、前記調節軸の外側には回転ベースが固定的に装着され、前記回転ベースの前側端面には調節板が固定的に装着され、前記調節板の前側端面には連結ロッドが固定的に装着され、前記連結ロッドの前端には球体が設置され、前記球体には挟み板が回転できるように取り付けられ、前記挟み板の中にはディスプレイスクリーンを挟むことができる挟み部品が設置され、前記挟み板の底部にはディスプレイスクリーンの底部を安定させる安定部品が設置され、前記挟み板の後側端面には四つの上下左右対称である固定リングが設置され、前記調節板の中には前記挟み板の角度を調節する調節部品が設置され、前記調節部品は前記調節板の中に位置する糸巻きチャンバを含み、前記糸巻きチャンバの左右壁の間には二本の糸巻き軸が回転できるように取り付けられ、上下両側の前記糸巻き軸には絹糸が固定的に巻き付き、前記絹糸が前記固定リングと固定的に連結されることを特徴とするディスプレイスクリーン調節装置。
【請求項２】
前記挟み部品は前記挟み板の中に位置する四つの第一伸縮溝を含み、前記第一伸縮溝の中にはスライドブロックがスライドできるように取り付けられ、前記スライドブロックの端面には前記挟み板から突き出る挟みロッドが設置され、前記挟みロッドの端部には把持爪が連結され、左上方の前記把持爪を例とし、前記把持爪の中には右方に開口した第一挟み溝が設置され、前記第一挟み溝の左側壁と前側壁には第一ゴム層が設置され、前記第一挟み溝の後側壁には第一弾力溝が設置され、前記第一弾力溝の中には第一ゴムブロックが弾性的に取り付けられ、前記スライドブロックと前記第一伸縮溝の内壁との間には第一ばねが設置され、前記挟み板の中には前方に開口した六つの第二伸縮溝が設置され、前記第二伸縮溝の中には伸縮ブロックがスライドできるように取り付けられ、前記伸縮ブロックの中には後方に開口した弾力チャンバが設置され、前記第二伸縮溝の後側壁にはストレートピンが設置され、前記ストレートピンと前記弾力チャンバとをスライドできるように連結され、前記ストレートピンと前記弾力チャンバの前側壁との間には第二ばねが設置され、前記第二伸縮溝の頂壁にはリミット溝が設置され、前記伸縮ブロックの頂部端面にはリミットブロックが設置され、前記リミットブロックと前記リミット溝とをスライドできるように連結され、前記伸縮ブロックの前端面には第二ゴムブロックが設置され、ディスプレイスクリーンを挟む時に両側の前記挟みロッドを引き離し、ディスプレイスクリーンの縁を前記第一挟み溝の中に引っ掛からせ、前記第一ゴムブロックがディスプレイスクリーンの後側と当接し、前記第二ゴムブロックがディスプレイスクリーンの後側と当接し、前記挟みロッドを放した後に左右両側の前記第一ゴム層がディスプレイスクリーンをきつく挟むことを特徴とする請求項１に記載のディスプレイスクリーン調節装置。
【請求項３】
前記安定部品は前記挟み板の底端に位置する安定ブロックを含み、前記安定ブロックの中には前方に開口した四つの第二弾力溝が設置され、前記第二弾力溝の中には第三ゴムブロックが弾力を持つように取り付けられ、前記安定ブロックの前側端面には左右対称であるＬ型ブロックが設置され、前記Ｌ型ブロックには第二ゴム層が設置され、ディスプレイスクリーンの底部の縁を前記第三ゴムブロックと前記第二ゴム層との間に引っ掛からせ、前記Ｌ型ブロックによりディスプレイスクリーンの位置を安定させることを特徴とする請求項１に記載のディスプレイスクリーン調節装置。
【請求項４】
前記調節部品は前記糸巻きチャンバの右側に位置する第二モータを含み、前記第二モータの左側の出力軸には回転軸が連結され、前記回転軸が前記糸巻きチャンバの中に位置し、前記回転軸には二つの第一ギヤが設置され、前記糸巻き軸には二つの第二ギヤが設置され、前記第二ギヤが前記第一ギヤと噛み合い、前記糸巻きチャンバの上下内壁の中には対称的で、且つ前記調節板の上下端面を貫通する糸溝が設置され、前記糸溝の左右壁の間にはローラが回転できるように取り付けられ、前記絹糸が前記ローラを避けて通った後に前記固定リングと固定的に連結され、角度を調節する時に前記第二モータが起動して前記回転軸と前記糸巻き軸とを回転連動させ、前記糸巻き軸が回転して前記絹糸を緩め又はきつく巻き、それにより前記挟み板の角度を変えることを特徴とする請求項１に記載のディスプレイスクリーン調節装置。
【請求項５】
前記固定フレーム本体はまた前記ベースの中に位置し、且つ上方に開口した物貯蔵溝を含み、物を前記物貯蔵溝の中に置くことができることを特徴とする請求項１に記載のディスプレイスクリーン調節装置。
【手続補正２】
【補正対象書類名】明細書
【補正対象項目名】全文
【補正方法】変更
【補正の内容】
【発明の詳細な説明】
【技術分野】
【０００１】
本発明はディスプレイスクリーンのスタンド分野に関わり、具体的にはディスプレイスクリーン調節装置である。
【背景技術】
【０００２】
ディスプレイスクリーンは取り付けフレームを持ち、一般の取り付けフレームは手動でディスプレイスクリーンの鉛直方向の展示角度を調節できるが、自動的に調節できなく、その他、水平方向の角度も自由に調節できない。
【先行技術文献】
【特許文献】
【０００３】
【特許文献１】中国特許出願公開第１０７５７５７１１号明細書
【発明の概要】
【発明が解決しようとする課題】
【０００４】
本発明はディスプレイスクリーン調節装置を提供し、既存技術の中の上記欠点を解消することを目的とする。
【課題を解決するための手段】
【０００５】
本発明実施例のディスプレイスクリーン調節装置は、固定フレーム本体を含み、前記固定フレーム本体はベースを含み、前記ベースの中には第一モータが設置され、前記第一モータの上向きの出力軸には調節軸が連結され、前記調節軸の外側には回転ベースが固定的に装着され、前記回転ベースの前側端面には調節板が固定的に装着され、前記調節板の前側端面には連結ロッドが固定的に装着され、前記連結ロッドの前端には球体が設置され、前記球体には挟み板が回転できるように取り付けられ、前記挟み板の中にはディスプレイスクリーンを挟むことができる挟み部品が設置され、前記挟み板の底部にはディスプレイスクリーンの底部を安定させる安定部品が設置され、前記挟み板の後側端面には四つの上下左右対称である固定リングが設置され、前記調節板の中には前記挟み板の角度を調節する調節部品が設置され、前記調節部品は前記調節板の中に位置する糸巻きチャンバを含み、前記糸巻きチャンバの左右壁の間には二本の糸巻き軸が回転できるように取り付けられ、上下両側の前記糸巻き軸には絹糸が固定的に巻き付き、前記絹糸が前記固定リングと固定的に連結される。
【０００６】
さらなる技術プランとして、前記挟み部品は前記挟み板の中に位置する四つの第一伸縮溝を含み、前記第一伸縮溝の中にはスライドブロックがスライドできるように取り付けられ、前記スライドブロックの端面には前記挟み板から突き出る挟みロッドが設置され、前記挟みロッドの端部には把持爪が連結され、左上方の前記把持爪を例とし、前記把持爪の中には右方に開口した第一挟み溝が設置され、前記第一挟み溝の左側壁と前側壁には第一ゴム層が設置され、前記第一挟み溝の後側壁には第一弾力溝が設置され、前記第一弾力溝の中には第一ゴムブロックが弾性的に取り付けられ、前記スライドブロックと前記第一伸縮溝の内壁との間には第一ばねが設置され、前記挟み板の中には前方に開口した六つの第二伸縮溝が設置され、前記第二伸縮溝の中には伸縮ブロックがスライドできるように取り付けられ、前記伸縮ブロックの中には後方に開口した弾力チャンバが設置され、前記第二伸縮溝の後側壁にはストレートピンが設置され、前記ストレートピンと前記弾力チャンバとをスライドできるように連結され、前記ストレートピンと前記弾力チャンバの前側壁との間には第二ばねが設置され、前記第二伸縮溝の頂壁にはリミット溝が設置され、前記伸縮ブロックの頂部端面にはリミットブロックが設置され、前記リミットブロックと前記リミット溝とをスライドできるように連結され、前記伸縮ブロックの前端面には第二ゴムブロックが設置される。
【０００７】
さらなる技術プランとして、前記安定部品は前記挟み板の底端に位置する安定ブロックを含み、前記安定ブロックの中には前方に開口した四つの第二弾力溝が設置され、前記第二弾力溝の中には第三ゴムブロックが弾力を持つように取り付けられ、前記安定ブロックの前側端面には左右対称であるＬ型ブロックが設置され、前記Ｌ型ブロックには第二ゴム層が設置される。
【０００８】
さらなる技術プランとして、前記調節部品は前記糸巻きチャンバの右側に位置する第二モータを含み、前記第二モータの左側の出力軸には回転軸が連結され、前記回転軸が前記糸巻きチャンバの中に位置し、前記回転軸には二つの第一ギヤが設置され、前記糸巻き軸には二つの第二ギヤが設置され、前記第二ギヤが前記第一ギヤと噛み合い、前記糸巻きチャンバの上下内壁の中には対称的で、且つ前記調節板の上下端面を貫通する糸溝が設置され、前記糸溝の左右壁の間にはローラが回転できるように取り付けられ、前記絹糸が前記ローラを避けて通った後に前記固定リングと固定的に連結される。
【０００９】
さらなる技術プランとして、前記固定フレーム本体はまた前記ベースの中に位置し、且つ上方に開口した物貯蔵溝を含む。
【発明の効果】
【００１０】
本発明の有益な効果は：本発明は構造が簡単で、操作が便利で、ディスプレイスクリーンの取り付けも便利で、十分な挟む力を持ち、且つディスプレイスクリーンを傷つけなく、角度及び展示方向を便利に調節でき、調節可能な挟みロッドが様々な規格のディスプレイスクリーンに対応でき、普及する価値がある。
【図面の簡単な説明】
【００１１】
下記に図１〜５をあわせて本発明について詳しく説明し、便利に説明するために、下記の方向を以下のように規定する：図２は本発明装置の正面図であり、以下に述べる上下左右前後の方向と図２の自身投影関係の上下左右前後の方向とが一致である。
【００１２】
【図１】図１は本発明の全体構造概略図
【図２】図２は図１の中のＡ―Ａ方向の断面構成概略図
【図３】図３は図１の中のＢ―Ｂ方向の断面構成概略図
【図４】図４は図１の中のＣのところの拡大概略図
【図５】図５は図２の中のＤ方向の構成概略図
【発明を実施するための形態】
【００１３】
図１〜５を参照し、本発明実施例のディスプレイスクリーン調節装置は、固定フレーム本体９０１を含み、前記固定フレーム本体９０１はベース１７を含み、前記ベース１７の中には第一モータ１６が設置され、前記第一モータ１６の上向きの出力軸には調節軸１５が連結され、前記調節軸１５の外側には回転ベース１４が固定的に装着され、前記回転ベース１４の前側端面には調節板１０が固定的に装着され、前記調節板１０の前側端面には連結ロッド１１が固定的に装着され、前記連結ロッド１１の前端には球体１３が設置され、前記球体１３には挟み板１２が回転できるように取り付けられ、前記挟み板１２の中にはディスプレイスクリーンを挟むことができる挟み部品９０２が設置され、前記挟み板１２の底部にはディスプレイスクリーンの底部を安定させる安定部品９０３が設置され、前記挟み板１２の後側端面には四つの上下左右対称である固定リング１９が設置され、前記調節板１０の中には前記挟み板１２の角度を調節する調節部品９０４が設置され、前記調節部品９０４は前記調節板１０の中に位置する糸巻きチャンバ３３を含み、前記糸巻きチャンバ３３の左右壁の間には二本の糸巻き軸３６が回転できるように取り付けられ、上下両側の前記糸巻き軸３６には絹糸４０が固定的に巻き付き、前記絹糸４０が前記固定リング１９と固定的に連結される。
【００１４】
前記挟み部品９０２は前記挟み板１２の中に位置する四つの第一伸縮溝２８を含み、前記第一伸縮溝２８の中にはスライドブロック３１がスライドできるように取り付けられ、前記スライドブロック３１の端面には前記挟み板１２から突き出る挟みロッド２７が設置され、前記挟みロッド２７の端部には把持爪２６が連結され、左上方の前記把持爪２６を例とし、前記把持爪２６の中には右方に開口した第一挟み溝５２が設置され、前記第一挟み溝５２の左側壁と前側壁には第一ゴム層５１が設置され、前記第一挟み溝５２の後側壁には第一弾力溝４８が設置され、前記第一弾力溝４８の中には第一ゴムブロック５０が弾性的に取り付けられ、前記スライドブロック３１と前記第一伸縮溝２８の内壁との間には第一ばね３０が設置され、前記挟み板１２の中には前方に開口した六つの第二伸縮溝４７が設置され、前記第二伸縮溝４７の中には伸縮ブロック４２がスライドできるように取り付けられ、前記伸縮ブロック４２の中には後方に開口した弾力チャンバ４３が設置され、前記第二伸縮溝４７の後側壁にはストレートピン４４が設置され、前記ストレートピン４４と前記弾力チャンバ４３とをスライドできるように連結され、前記ストレートピン４４と前記弾力チャンバ４３の前側壁との間には第二ばね４９が設置され、前記第二伸縮溝４７の頂壁にはリミット溝４６が設置され、前記伸縮ブロック４２の頂部端面にはリミットブロック４５が設置され、前記リミットブロック４５と前記リミット溝４６とをスライドできるように連結され、前記伸縮ブロック４２の前端面には第二ゴムブロック３２が設置され、ディスプレイスクリーンを挟む時に両側の挟みロッド２７を引き離し、ディスプレイスクリーンの縁を第一挟み溝５２の中に引っ掛からせ、第一ゴムブロック５０がディスプレイスクリーンの後側と当接し、第二ゴムブロック３２がディスプレイスクリーンの後側と当接し、挟みロッド２７を放した後に左右両側の第一ゴム層５１がディスプレイスクリーンをきつく挟む。
【００１５】
前記安定部品９０３は前記挟み板１２の底端に位置する安定ブロック２０を含み、前記安定ブロック２０の中には前方に開口した四つの第二弾力溝２１が設置され、前記第二弾力溝２１の中には第三ゴムブロック２３が弾力を持つように取り付けられ、前記安定ブロック２０の前側端面には左右対称であるＬ型ブロック２５が設置され、前記Ｌ型ブロック２５には第二ゴム層２４が設置され、ディスプレイスクリーンの底部の縁を第三ゴムブロック２３と第二ゴム層２４との間に引っ掛からせ、Ｌ型ブロック２５によりディスプレイスクリーンの位置を安定させる。
【００１６】
前記調節部品９０４は前記糸巻きチャンバ３３の右側に位置する第二モータ４１を含み、前記第二モータ４１の左側の出力軸には回転軸３９が連結され、前記回転軸３９が前記糸巻きチャンバ３３の中に位置し、前記回転軸３９には二つの第一ギヤ３４が設置され、前記糸巻き軸３６には二つの第二ギヤ３５が設置され、前記第二ギヤ３５が前記第一ギヤ３４と噛み合い、前記糸巻きチャンバ３３の上下内壁の中には対称的で、且つ前記調節板１０の上下端面を貫通する糸溝３７が設置され、前記糸溝３７の左右壁の間にはローラ３８が回転できるように取り付けられ、前記絹糸４０が前記ローラ３８を避けて通った後に前記固定リング１９と固定的に連結され、角度を調節する時に第二モータ４１が起動して回転軸３９と糸巻き軸３６とを回転連動させ、糸巻き軸３６が回転して絹糸４０を緩め又はきつく巻き、それにより挟み板１２の角度を変える。
【００１７】
前記固定フレーム本体９０１はまた前記ベース１７の中に位置し、且つ上方に開口した物貯蔵溝１８を含み、物を物貯蔵溝１８の中に置くことができる。
【００１８】
一般的に、第二ばね４９の作用の下で伸縮ブロック４２が弾き出され、第一ゴムブロック５０の大部分が第一弾力溝４８から突き出る。
【００１９】
ディスプレイスクリーンを挟む時に両側の挟みロッド２７を引き離し、ディスプレイスクリーンの底部の縁を第三ゴムブロック２３と第二ゴムブロック２４との間に引っ掛からせ、Ｌ型ブロック２５によりディスプレイスクリーンの位置を安定させ、データ線が両側のＬ型ブロック２５の間からディスプレイスクリーンの後側と当接し、ディスプレイスクリーンの縁が第一挟み溝５２の中に引っ掛かり、第一ゴムブロック５０がディスプレイスクリーンの後側と当接し、第二ゴムブロック３２がディスプレイスクリーンの後側と当接し、挟みロッド２７を放した後に左右両側の第一ゴム層５１がディスプレイスクリーンをきつく挟み、第二ゴムブロック３２と、第一ゴムブロック５０と第一ゴム層５１との作用の下でディスプレイスクリーンの固定が完成される。
【００２０】
角度を調節する時に第二モータ４１が起動して回転軸３９と第一ギヤ３４とを回転連動させ、第一ギヤ３４が噛み合いにより上下両側の第二ギヤ３５と糸巻き軸３６とを回転連動させ、糸巻き軸３６が回転して糸溝３７を緩め又はきつく巻き、挟み板１２の角度を変え、それにより更にディスプレイスクリーンの角度を変える。
【００２１】
方向を調節する時、第一モータ１６を始動して調節軸１５と回転ベース１４とを回転連動させ、ディスプレイスクリーンの方向を調節する。
【００２２】
本発明の有益な効果は：本発明は構造が簡単で、操作が便利で、ディスプレイスクリーンの取り付けも便利で、十分な挟む力を持ち、且つディスプレイスクリーンを傷つけなく、角度及び展示方向を便利に調節でき、調節可能な挟みロッドが様々な規格のディスプレイスクリーンに対応でき、普及する価値がある。
【００２３】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。